【手続補正書】
【提出日】平成19年8月24日(2007.8.24)
【手続補正１】
【補正対象書類名】明細書
【補正対象項目名】００１２
【補正方法】変更
【補正の内容】
【００１２】
上記目的を達成するために、請求項１記載の発明では、誘導電流により発熱しシート状体に熱を与える加熱回転体と、該加熱回転体の外部に設けられ誘導電流を生じさせる磁束を発生させる誘導コイルと、該誘導コイルを保持する保持部材と、該誘導コイルの磁束漏れを抑制するシールド部材を有する加熱装置において、上記磁束による上記シールド部材の発熱を抑制可能に構成されている、という構成を採っている。
【手続補正２】
【補正対象書類名】明細書
【補正対象項目名】００１３
【補正方法】変更
【補正の内容】
【００１３】
請求項２記載の発明では、請求項１記載の加熱装置において、上記シールド部材が、磁性体層と絶縁体層の積層構造を有し、該積層構造は該シールド部材に発生する渦電流を遮る方向性を有している、という構成を採っている。
【手続補正３】
【補正対象書類名】明細書
【補正対象項目名】００１４
【補正方法】変更
【補正の内容】
【００１４】
請求項３記載の発明では、請求項２記載の加熱装置において、上記シールド部材が、通気用開口部を有している、という構成を採っている。
【手続補正４】
【補正対象書類名】明細書
【補正対象項目名】００１５
【補正方法】変更
【補正の内容】
【００１５】
請求項４記載の発明では、請求項３記載の加熱装置において、上記通気用開口部が、上記誘導コイルの温度分布に応じて形成されている、という構成を採っている。
【手続補正５】
【補正対象書類名】明細書
【補正対象項目名】００１６
【補正方法】変更
【補正の内容】
【００１６】
請求項５記載の発明では、請求項３又は４記載の加熱装置において、上記通気用開口部が、穴である、という構成を採っている。
【手続補正６】
【補正対象書類名】明細書
【補正対象項目名】００１７
【補正方法】変更
【補正の内容】
【００１７】
請求項６記載の発明では、請求項３又は４記載の加熱装置において、上記通気用開口部が、スリットである、という構成を採っている。
【手続補正７】
【補正対象書類名】明細書
【補正対象項目名】００１８
【補正方法】変更
【補正の内容】
【００１８】
請求項７記載の発明では、請求項６記載の加熱装置において、上記スリットが、上記シールド部材に発生する渦電流を遮るように形成されている、という構成を採っている。
【手続補正８】
【補正対象書類名】明細書
【補正対象項目名】００１９
【補正方法】変更
【補正の内容】
【００１９】
請求項８記載の発明では、請求項２記載の加熱装置において、上記シールド部材が、放熱面積を拡大されている、という構成を採っている。
【手続補正９】
【補正対象書類名】明細書
【補正対象項目名】００２０
【補正方法】変更
【補正の内容】
【００２０】
請求項９記載の発明では、請求項８記載の加熱装置において、上記放熱面積の拡大化が、凸部を形成することによってなされている、という構成を採っている。
【手続補正１０】
【補正対象書類名】明細書
【補正対象項目名】００２１
【補正方法】変更
【補正の内容】
【００２１】
請求項１０記載の発明では、請求項８記載の加熱装置において、上記放熱面積の拡大化が、窪みを形成することによってなされている、という構成を採っている。
【手続補正１１】
【補正対象書類名】明細書
【補正対象項目名】００２２
【補正方法】変更
【補正の内容】
【００２２】
請求項１１記載の発明では、請求項９又は１０記載の加熱装置において、上記放熱面積の拡大化が、上記磁性体層と絶縁体層のうち熱伝導率の高い方の層のみになされている、という構成を採っている。
【手続補正１２】
【補正対象書類名】明細書
【補正対象項目名】００２３
【補正方法】変更
【補正の内容】
【００２３】
請求項１２記載の発明では、請求項１記載の加熱装置において、上記シールド部材を冷却する冷却手段を有している、という構成を採っている。
【手続補正１３】
【補正対象書類名】明細書
【補正対象項目名】００２４
【補正方法】変更
【補正の内容】
【００２４】
請求項１３記載の発明では、請求項１２記載の加熱装置において、上記冷却手段が空冷ファンである、という構成を採っている。
【手続補正１４】
【補正対象書類名】明細書
【補正対象項目名】００２５
【補正方法】変更
【補正の内容】
【００２５】
請求項１４記載の発明では、請求項１３記載の加熱装置において、上記空冷ファンによる気流が温度検知域の雰囲気に影響を与えないように構成されている、という構成を採っている。
【手続補正１５】
【補正対象書類名】明細書
【補正対象項目名】００２６
【補正方法】変更
【補正の内容】
【００２６】
請求項１５記載の発明では、請求項１３記載の加熱装置において、上記空冷ファンによる気流が上記加熱回転体の温度に影響を与えないように構成されている、という構成を採っている。
【手続補正１６】
【補正対象書類名】明細書
【補正対象項目名】００２７
【補正方法】変更
【補正の内容】
【００２７】
請求項１６記載の発明では、請求項１３記載の加熱装置において、上記シート状体が未定着画像を担持したものであり、上記空冷ファンによる気流が該未定着画像に影響を与えないように構成されている、という構成を採っている。
【手続補正１７】
【補正対象書類名】明細書
【補正対象項目名】００２８
【補正方法】変更
【補正の内容】
【００２８】
請求項１７記載の発明では、請求項１２乃至１６のうちの一つに記載の加熱装置において、上記シールド部材が、通気用開口部を有している、という構成を採っている。
【手続補正１８】
【補正対象書類名】明細書
【補正対象項目名】００２９
【補正方法】変更
【補正の内容】
【００２９】
請求項１８記載の発明では、請求項１７記載の加熱装置において、上記通気用開口部が、上記誘導コイルの温度分布に応じて形成されている、という構成を採っている。
【手続補正１９】
【補正対象書類名】明細書
【補正対象項目名】００３０
【補正方法】変更
【補正の内容】
【００３０】
請求項１９記載の発明では、請求項１７又は１８記載の加熱装置において、上記通気用開口部が、穴である、という構成を採っている。
【手続補正２０】
【補正対象書類名】明細書
【補正対象項目名】００３１
【補正方法】変更
【補正の内容】
【００３１】
請求項２０記載の発明では、請求項１７又は１８記載の加熱装置において、上記通気用開口部が、スリットである、という構成を採っている。
【手続補正２１】
【補正対象書類名】明細書
【補正対象項目名】００３２
【補正方法】変更
【補正の内容】
【００３２】
請求項２１記載の発明では、請求項２０記載の加熱装置において、上記スリットが、上記シールド部材に発生する渦電流を遮るように形成されている、という構成を採っている。
【手続補正２２】
【補正対象書類名】明細書
【補正対象項目名】００３３
【補正方法】変更
【補正の内容】
【００３３】
請求項２２記載の発明では、請求項１２乃至１６のうちの一つに記載の加熱装置において、上記シールド部材が、放熱面積を拡大されている、という構成を採っている。
【手続補正２３】
【補正対象書類名】明細書
【補正対象項目名】００３４
【補正方法】変更
【補正の内容】
【００３４】
請求項２３記載の発明では、請求項２２記載の加熱装置において、上記放熱面積の拡大化が、凸部を形成することによってなされている、という構成を採っている。
【手続補正２４】
【補正対象書類名】明細書
【補正対象項目名】００３５
【補正方法】変更
【補正の内容】
【００３５】
請求項２４記載の発明では、請求項２２記載の加熱装置において、上記放熱面積の拡大化が、窪みを形成することによってなされている、という構成を採っている。
【手続補正２５】
【補正対象書類名】明細書
【補正対象項目名】００３６
【補正方法】変更
【補正の内容】
【００３６】
請求項２５記載の発明では、請求項１乃至２４のうちの一つに記載の加熱装置において、上記誘導コイルが上記シールド部材によって保持されている、という構成を採っている。
【手続補正２６】
【補正対象書類名】明細書
【補正対象項目名】００３７
【補正方法】変更
【補正の内容】
【００３７】
請求項２６記載の発明では、未定着画像を定着する定着装置を有する画像形成装置において、上記定着装置が、請求項１乃至２５のうちの一つの加熱装置である、という構成を採っている。
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】変更
【補正の内容】
【００５３】
本発明によれば、誘導コイルの温度上昇を抑制することができ、加熱回転体の加熱効率の向上、省電力化、誘導コイルの絶縁破壊防止による安全性の向上を図ることができる。
【手続補正４３】
【補正対象書類名】明細書
【補正対象項目名】００５４
【補正方法】変更
【補正の内容】
【００５４】
本発明によれば、シールド部材の発熱抑制機能に加えてシールド部材の放熱機能を得ることができ、誘導コイルの温度上昇をハイレベルに抑制することができる。
【手続補正４４】
【補正対象書類名】明細書
【補正対象項目名】００５５
【補正方法】変更
【補正の内容】
【００５５】
本発明によれば、シールド部材の発熱抑制機能に加えてシールド部材の放熱機能を得ることができ、誘導コイルの温度上昇をハイレベルに抑制することができる。
【手続補正４５】
【補正対象書類名】明細書
【補正対象項目名】００５６
【補正方法】変更
【補正の内容】
【００５６】
本発明によれば、シールド部材の放熱促進によって誘導コイルの温度上昇を抑制することができ、加熱回転体の加熱効率の向上、省電力化、誘導コイルの絶縁破壊防止による安全性の向上を図ることができる。
【手続補正４６】
【補正対象書類名】明細書
【補正対象項目名】００５７
【補正方法】変更
【補正の内容】
【００５７】
本発明によれば、温度検知手段による誤検知を防止することができる。
【手続補正４７】
【補正対象書類名】明細書
【補正対象項目名】００５８
【補正方法】変更
【補正の内容】
【００５８】
本発明によれば、加熱回転体の加熱効率の低減を防止することができる。
【手続補正４８】
【補正対象書類名】明細書
【補正対象項目名】００５９
【補正方法】変更
【補正の内容】
【００５９】
本発明によれば、画像乱れや紙皺を防止することができる。
【手続補正４９】
【補正対象書類名】明細書
【補正対象項目名】００６０
【補正方法】変更
【補正の内容】
【００６０】
本発明によれば、冷却手段によるシールド部材の冷却機能に加えて、シールド部材の放熱機能を得ることができ、誘導コイルの温度上昇をハイレベルに抑制することができる。
【手続補正５０】
【補正対象書類名】明細書
【補正対象項目名】００６１
【補正方法】変更
【補正の内容】
【００６１】
本発明によれば、冷却手段によるシールド部材の冷却機能に加えて、シールド部材の放熱機能を得ることができ、誘導コイルの温度上昇をハイレベルに抑制することができる。
【手続補正５１】
【補正対象書類名】明細書
【補正対象項目名】００６２
【補正方法】削除
【補正の内容】
【手続補正５２】
【補正対象書類名】明細書
【補正対象項目名】００６３
【補正方法】削除
【補正の内容】
【手続補正５３】
【補正対象書類名】明細書
【補正対象項目名】００６４
【補正方法】変更
【補正の内容】
【００６４】
以下、本発明の実施形態を図に基づいて説明する。まず、参考例を説明する。
図３に基づいて、本参考例に係る画像形成装置の一例としてのプリンタ２の全体構成の概要を説明する。
プリンタ２は、給紙手段４と、レジストローラ対６と、像担持体としての感光体ドラム８と、転写手段１０と、誘導加熱方式の加熱装置としての定着装置１２等を有している。
給紙手段４は、記録材としての用紙Ｐが積載状態で収容される給紙トレイ１４と、給紙トレイ１４に収容された用紙Ｐを最上のものから順に１枚ずつ分離して送り出す給紙コロ１６等を有している。
給紙コロ１６によって送り出された用紙Ｐはレジストローラ対６で一旦停止され、姿勢ずれを矯正された後、感光体ドラム８の回転に同期するタイミングで、すなわち、感光体ドラム８上に形成されたトナー像の先端と用紙Ｐの搬送方向先端部の所定位置とが一致するタイミングでレジストローラ対６により転写部位Ｎへ送られる。
【手続補正５４】
【補正対象書類名】明細書
【補正対象項目名】００６９
【補正方法】変更
【補正の内容】
【００６９】
制御手段４０は、ＣＰＵ，ＲＯＭ，ＲＡＭ，Ｉ／Ｏインターフェース等を包含するマイクロコンピュータを意味し、本参考例では図示しないプリンタ２のメインコントローラが制御手段４０を兼ねている。
サーミスタ３６は定着ローラ２８の表面に当接するように配置されており、サーミスタ３６の検出信号に基づいて誘導コイル３２への電力供給を増減させることで、定着ローラ２８の表面温度が所定の一定温度になるように制御手段４０により自動制御される。
【手続補正５５】
【補正対象書類名】明細書
【補正対象項目名】００７２
【補正方法】変更
【補正の内容】
【００７２】
シールド部材３４は、図１に示すように、断面コ字状で定着ローラ２８の軸方向に延びる形状を有している。誘導コイル３２はシールド部材３４の凹部に収容され、且つ、該シールド部材３４に保持されている。シールド部材３４とは別の保持部材で誘導コイル３２を保持する構成としてもよい。
【手続補正５６】
【補正対象書類名】明細書
【補正対象項目名】００７６
【補正方法】変更
【補正の内容】
【００７６】
このような不具合を防止するために、本参考例における定着装置１２は、シールド部材３４の放熱を促進可能に構成されている。具体的には、シールド部材３４には、シールド部材３４の放熱を促進させる通気用開口部としての多数の穴４６が形成されている。
本参考例における穴４６は直径５ｍｍの円形の穴であり、シールド部材３４の定着ローラ２８の外周面に対応する部分だけでなく、４つの側面にも形成されており、且つ、誘導コイル３２の温度分布に応じて形成されている。穴４６をシールド部材３４の定着ローラ２８の外周面に対応する部分だけでなく、４つの側面にも形成しているのは、シールド機能を低減させないためと、空気の循環を容易にして放熱を促すためである。穴４６の形状は、楕円形、矩形等でもよい。
【手続補正５７】
【補正対象書類名】明細書
【補正対象項目名】００７７
【補正方法】変更
【補正の内容】
【００７７】
リッツ線形態の場合、誘導コイル３２自体の発熱分布は誘導コイル３２の縒り線の密度に比例する。従って、誘導コイル３２が均等に巻かれていれば、誘導コイル３２自体の発熱分布は均一であるが、不均一に巻かれていればその発熱分布に差が生じる。
上記の「誘導コイル３２の温度分布に応じて」とは、誘導コイル３２の巻き方に不均一性がある場合には、誘導コイル３２が密に巻かれている部分においては穴４６の数を多くしたり、開口径を大きくしたりするという意味である。
本参考例においては誘導コイル３２の温度分布を均一としているので、穴４６はシールド部材３４の全面に均一に形成されている。
【手続補正５８】
【補正対象書類名】明細書
【補正対象項目名】００８１
【補正方法】変更
【補正の内容】
【００８１】
次に、図４に基づいて他の参考例を説明する。
本参考例では、シールド部材３４に通気用開口部としての多数のスリット４８を形成している。その他の構成は上記参考例と同様である（以下の参考例及び実施形態において同じ）。スリット４８の大きさは、長辺４８ａが５０ｍｍ、短辺４８ｂが２ｍｍで、スリット４８間の隙間ｗは１ｍｍである。
上記参考例と同様に、シールド部材３４の内方に籠もろうとする熱はスリット４８を介してシールド部材３４の外方に逃げるので、シールド部材３４の蓄熱化が抑制され、誘導コイル３２の温度上昇が抑制される。
また、スリット４８はシールド部材３４に発生する渦電流を遮るように形成されている。すなわち、長辺４８ａの向きが誘導コイル３２に流れる電流の向きに対して略垂直となるように形成されている。
スリット４８の向きをこのように設定することにより、スリット４８が絶縁層として機能し、シールド部材３４に生じる渦電流が妨げられ、電磁誘導によるシールド部材３４自体の発熱が抑制される。従って、スリット４８による通気機能とシールド部材３４の発熱抑制機能が相まって、誘導コイル３２の温度上昇抑制機能が向上する。
【手続補正５９】
【補正対象書類名】明細書
【補正対象項目名】００８２
【補正方法】変更
【補正の内容】
【００８２】
上記参考例ではシールド部材３４に通気用開口部を形成してシールド部材３４の放熱を促進させる構成としたが、シールド部材３４の放熱面積を拡大することによっても同様に誘導コイル３２の温度上昇抑制機能を得ることができる。
例えば、図５に示すように、シールド部材３４の外面に凸部としての放熱フィン５０を多数形成すればよい。また、図６に示すように、シールド部材３４の外面に多数の窪み５２を形成してもよい。
【手続補正６０】
【補正対象書類名】明細書
【補正対象項目名】００８３
【補正方法】変更
【補正の内容】
【００８３】
次に、図７に基づいて本発明の実施形態を説明する。
上記各参考例では、シールド部材３４の放熱を促進することを特徴としたが、本実施形態では、電磁誘導によるシールド部材３４の発熱そのものを抑制することを特徴としている。換言すれば、シールド部材３４の形状的改善によるアプローチではなく、材質的・機能的改善によるアプローチである。
本実施形態におけるシールド部材３４は、磁性体層５４と、絶縁体層５６の積層構造を有しており、且つ、シールド部材３４に発生する渦電流を遮る方向性を有している。磁性体層５４としては、フェライト、鉄、コバルト、ニッケルなどを採用でき、絶縁体層５６としては、セラミックス、ＤＬＣ（ダイヤモンドライクカーボン）膜などを採用できる。
【手続補正６１】
【補正対象書類名】明細書
【補正対象項目名】００８５
【補正方法】変更
【補正の内容】
【００８５】
図７で示したシールド部材３４において、さらに通気用開口部を形成する構成としてもよい。この場合、上記参考例と同様に、穴４６を形成してもよく、スリット４８を形成してもよい。
また、これらの通気用開口部を誘導コイル３２の温度分布に応じて形成してもよい。さらに、上記スリット４８がシールド部材３４に発生する渦電流を遮るように形成されている構成としてもよい。
［実施例３］
シールド部材３４の全面に穴４６を均一に形成した以外は実施例２と同様に行ったところ、漏れ磁束は問題ないレベルであり、定着ローラ２８の加熱効率は実施例２よりも良好であった。
【手続補正６２】
【補正対象書類名】明細書
【補正対象項目名】００８６
【補正方法】変更
【補正の内容】
【００８６】
図７で示したシールド部材３４において、該シールド部材３４が放熱面積を拡大されている構成としてもよい。そして、該放熱面積の拡大化が凸部（例えば図５で示した放熱フィン５０）を形成することによってなされている構成としてもよく、窪み（例えば図６で示した窪み５２）を形成することによってなされている構成としてもよい。
さらに、これらの凸部や窪み等の放熱面積の拡大化が、磁性体層５４と絶縁体層５６のうち熱伝導率の高い方の層のみになされている構成としてもよい。
【手続補正６３】
【補正対象書類名】明細書
【補正対象項目名】００８７
【補正方法】変更
【補正の内容】
【００８７】
次に、図８に基づいて他の実施形態を説明する。
本実施形態では、通気用開口部を有せず且つ電磁誘導による発熱抑制構成も有していない単なるシールド部材３４と、該シールド部材３４を冷却する冷却手段としての空冷ファン６０と、該空冷ファン６０による気流がサーミスタ３６の温度検知域の雰囲気に影響を与えることを防止する気流ガイド板６２と、該空冷ファン６０による気流が用紙Ｐ上の未定着画像に影響を与えることを防止する気流ガイド板６４を有している。
気流ガイド板６２，６４は、空冷ファン６０による気流が定着ローラ２８の温度に影響を与えるのを防止するためにも機能している。
【手続補正６４】
【補正対象書類名】明細書
【補正対象項目名】００８９
【補正方法】変更
【補正の内容】
【００８９】
本実施形態におけるシールド部材３４において、さらに通気用開口部を形成する構成としてもよい。この場合、上記参考例と同様に、穴４６を形成してもよく、スリット４８を形成してもよい。また、これらの通気用開口部を誘導コイル３２の温度分布に応じて形成してもよい。さらに、上記スリット４８がシールド部材３４に発生する渦電流を遮るように形成されている構成としてもよい。
また、本実施形態におけるシールド部材３４が放熱面積を拡大されている構成としてもよい。そして、該放熱面積の拡大化が凸部（例えば図５で示した放熱フィン５０）を形成することによってなされている構成としてもよく、窪み（例えば図６で示した窪み５２）を形成することによってなされている構成としてもよい。
【手続補正６５】
【補正対象書類名】明細書
【補正対象項目名】００９１
【補正方法】変更
【補正の内容】
【００９１】
次に、図９に基づいて他の参考例を説明する。
本参考例では、内部に冷媒通路６６を有するパーマロイ製のシールド部材３４と、該冷媒通路６６で冷媒としての空気を移動させる冷媒駆動部材としての小型のエアーポンプ６８（送風ファン、吸引ファンの概念を含む）を有している。エアーポンプ６８より吐出された空気は冷媒通路６６の入口６６ａから入り込み、出口６６ｂから噴出する。外気が冷媒通路６６内を移動することでシールド部材３４は冷却される。
冷媒として水を用い、冷媒駆動部材として小型の液体ポンプ（吸引ポンプの概念を含む）を用いてもよい。また、冷媒としてガスを用いてもよい。
【手続補正６６】
【補正対象書類名】明細書
【補正対象項目名】００９２
【補正方法】変更
【補正の内容】
【００９２】
上記各参考例及び実施形態では、定着装置としての加熱装置を例示したが、本発明に係る加熱装置は、画像を担持した転写紙（用紙）を加熱してその表面性（つや等）を改質する装置として、仮定着を行う装置として、あるいはシート状体を供給してその乾燥処理・ラミネート処理をする装置としても利用できる。
【手続補正６７】
【補正対象書類名】明細書
【補正対象項目名】００９３
【補正方法】変更
【補正の内容】
【００９３】
【図１】本発明の参考例に係る加熱装置としての定着装置の概要正面図である。
【図２】定着装置の概要分解斜視図である。
【図３】定着装置を備えた画像形成装置としてのプリンタの概要正面図である。
【図４】他の参考例におけるシールド部材の斜視図である。
【図５】他の参考例におけるシールド部材の概要断面図である。
【図６】他の参考例におけるシールド部材の概要断面図である。
【図７】本発明の実施形態におけるシールド部材の斜視図である。
【図８】他の実施形態における定着装置の概要正面図である。
【図９】他の参考例におけるシールド部材の斜視図である。